(57)【要約】【課題】ＨＥＭＳコントローラ操作機会の制約とＨＥＭＳコントローラ機能の途絶を軽減し、どこからでもＨＥＭＳコントローラ機能を提供し、ユーザの省エネ行動を喚起・誘導の機会を向上させる。【解決手段】各装置が、他の装置が報知した、ＨＥＭＳコントローラ要素機能、および装置の属性に関する情報を受信し、一時記憶した受信情報に基づいて、複数の装置間で、ＨＥＭＳコントローラ要素機能、および装置の属性に関する情報を共有するグループを構成する。そして、記憶したグループ情報からＨＥＭＳコントローラの要素機能ごとに機能を提供する装置を選択し、ユーザから要素機能の実行要求があった場合に、実行要求があった要素機能が自装置にあるときには、要素機能を実行し、実行要求があった要素機能が自装置にないときには、選択した装置の要素機能を実行させ、実行結果を表示する。【選択図】図６
2014160314.tif 000002
【特許請求の範囲】
【請求項１】
複数の装置からなり、
各装置が互いに、自装置が備えるＨＥＭＳコントローラ要素機能、および装置の属性に関する情報を他の装置に報知する報知手段と、
前記各装置が、
前記他の装置が報知した、ＨＥＭＳコントローラ要素機能、および装置の属性に関する情報を受信する受信手段と、
前記受信した情報を一時記憶する受信情報記憶手段と、
該一時記憶した情報に基づいて、前記複数の装置間で、ＨＥＭＳコントローラ要素機能、および装置の属性に関する情報を共有するグループを構成するグループ構成手段と、
該構成したグループ情報を記憶するグループ情報記憶手段と、
該記憶するグループ情報からＨＥＭＳコントローラの要素機能ごとに該機能を提供する装置を選択する選択手段と、
ユーザから要素機能の実行要求があった場合に、該実行要求があった前記要素機能が自装置にあるときには、該要素機能を実行し、該実行要求があった前記要素機能が自装置にないときには、前記選択した装置の前記要素機能を実行させる制御手段と、
前記実行結果を表示する表示手段と、
を備えたことを特徴とする監視制御システム。
【請求項２】
前記報知手段が、ある装置が備えるＨＥＭＳコントローラ要素機能、および装置の属性に関する情報の変更があった場合に、その旨を、前記各装置に報知し、前記受信手段が、前記報知した、ＨＥＭＳコントローラ要素機能、および装置の属性に関する情報を受信して、前記グループ構成手段が、前記受信した情報に基づいて、前記グループを再構成することを特徴とする請求項１に記載の監視制御システム。
【請求項３】
前記ある装置が備えるＨＥＭＳコントローラ要素機能、および装置の属性に関する情報の変更に前記グループから離脱情報を含むことを特徴とする請求項２に記載の監視制御システム。
【請求項４】
前記ある装置が備えるＨＥＭＳコントローラ要素機能、および装置の属性に関する情報の変更に前記ＨＥＭＳコントローラ要素機能の一部喪失情報を含むことを特徴とする請求項２に記載の監視制御システム。
【請求項５】
前記ある装置が備えるＨＥＭＳコントローラ要素機能、および装置の属性に関する情報の変更に前記ＨＥＭＳコントローラ要素機能の一部追加情報を含むことを特徴とする請求項２に記載の監視制御システム。
【請求項６】
他の装置に、自装置が備えるＨＥＭＳコントローラ要素機能、および装置の属性に関する情報を報知する報知手段と、
該他の装置が報知した、ＨＥＭＳコントローラ要素機能、および装置の属性に関する情報を受信する受信手段と、
該受信した情報を一時記憶する受信情報記憶手段と、
該一時記憶した情報に基づいて、装置間で、ＨＥＭＳコントローラ要素機能、および装置の属性に関する情報を共有するグループを構成するグループ構成手段と、
該構成したグループ情報を記憶するグループ情報記憶手段と、
該記憶するグループ情報からＨＥＭＳコントローラの要素機能ごとに該機能を提供する装置を選択する選択手段と、
ユーザから要素機能の実行要求があった場合に、該実行要求があった前記要素機能が自装置にあるときには、該要素機能を実行し、該実行要求があった前記要素機能が自装置にないときには、前記選択した装置の前記要素機能を実行させる制御手段と、
前記実行結果を表示する表示手段と、
を備えたことを特徴とする監視制御装置。
【請求項７】
ＨＥＭＳコントローラ要素機能、および装置の属性に関する情報の変更があった場合に、その旨を、報知し、前記報知した、ＨＥＭＳコントローラ要素機能、および装置の属性に関する情報を受信して、前記受信した情報に基づいて、前記グループを再構成することを特徴とする請求項６に記載の監視制御装置。
【請求項８】
ＨＥＭＳコントローラ要素機能、および装置の属性に関する情報の変更に前記グループから離脱情報あるいは、前記ＨＥＭＳコントローラ要素機能の一部喪失情報または、前記ＨＥＭＳコントローラ要素機能の一部追加情報を含むことを特徴とする請求項７に記載の監視制御装置。
【請求項９】
複数の装置からなる制御システムにおける監視制御方法であって、
各装置が互いに、自装置が備えるＨＥＭＳコントローラ要素機能、および装置の属性に関する情報を他の装置に報知する第１のステップと、
前記各装置が、前記他の装置が報知した、ＨＥＭＳコントローラ要素機能、および装置の属性に関する情報を受信する第２のステップと、
前記各装置が、一時記憶した受信情報に基づいて、前記複数の装置間で、ＨＥＭＳコントローラ要素機能、および装置の属性に関する情報を共有するグループを構成する第３のステップと、
前記各装置が、記憶したグループ情報からＨＥＭＳコントローラの要素機能ごとに該機能を提供する装置を選択する第４のステップと、
前記各装置が、ユーザから要素機能の実行要求があった場合に、該実行要求があった前記要素機能が自装置にあるときには、該要素機能を実行し、該実行要求があった前記要素機能が自装置にないときには、前記選択した装置の前記要素機能を実行させる第５のステップと、
前記各装置が、前記実行結果を表示する第６のステップと、
を備えたことを特徴とする監視制御方法。
【請求項１０】
ある装置が備えるＨＥＭＳコントローラ要素機能、および装置の属性に関する情報の変更があった場合に、その旨を、前記各装置に報知し、前記報知した、ＨＥＭＳコントローラ要素機能、および装置の属性に関する情報を受信して、前記受信した情報に基づいて、前記グループを再構成することを特徴とする請求項９に記載の監視制御方法。
【請求項１１】
前記ある装置が備えるＨＥＭＳコントローラ要素機能、および装置の属性に関する情報の変更に前記グループから離脱情報あるいは、前記ＨＥＭＳコントローラ要素機能の一部喪失情報または、前記ＨＥＭＳコントローラ要素機能の一部追加情報を含むことを特徴とする請求項１０に記載の監視制御方法。
【請求項１２】
複数の装置からなる制御システムにおける監視制御方法をコンピュータに実行させるためのプログラムであって、
各装置が互いに、自装置が備えるＨＥＭＳコントローラ要素機能、および装置の属性に関する情報を他の装置に報知する第１のステップと、
前記各装置が、前記他の装置が報知した、ＨＥＭＳコントローラ要素機能、および装置の属性に関する情報を受信する第２のステップと、
前記各装置が、一時記憶した受信情報に基づいて、前記複数の装置間で、ＨＥＭＳコントローラ要素機能、および装置の属性に関する情報を共有するグループを構成する第３のステップと、
前記各装置が、記憶したグループ情報からＨＥＭＳコントローラの要素機能ごとに該機能を提供する装置を選択する第４のステップと、
前記各装置が、ユーザから要素機能の実行要求があった場合に、該実行要求があった前記要素機能が自装置にあるときには、該要素機能を実行し、該実行要求があった前記要素機能が自装置にないときには、前記選択した装置の前記要素機能を実行させる第５のステップと、
前記各装置が、前記実行結果を表示する第６のステップと、
をコンピュータに実行させるためのプログラム。
【請求項１３】
ある装置が備えるＨＥＭＳコントローラ要素機能、および装置の属性に関する情報の変更があった場合に、その旨を、前記各装置に報知し、前記報知した、ＨＥＭＳコントローラ要素機能、および装置の属性に関する情報を受信して、前記受信した情報に基づいて、前記グループを再構成することを特徴とする請求項１２に記載のプログラム。
【請求項１４】
前記ある装置が備えるＨＥＭＳコントローラ要素機能、および装置の属性に関する情報の変更に前記グループから離脱情報あるいは、前記ＨＥＭＳコントローラ要素機能の一部喪失情報または、前記ＨＥＭＳコントローラ要素機能の一部追加情報を含むことを特徴とする請求項１３に記載のプログラム。
【発明の詳細な説明】
【技術分野】
【０００１】
本発明は、宅内の家電、電力機器、住宅設備に対して、機器状態の取得や機器操作をすることにより宅内の電力消費を監視、制御する監視制御システム、監視制御装置、監視制御方法およびプログラムに関する。
【背景技術】
【０００２】
省エネの要求を背景に、宅内にあるさまざまな家電、電力機器をネットワーク接続し、電力消費量の監視・制御といったアプリケーションを実現する宅内電力管理システムとしてＨＥＭＳ（Ｈｏｍｅ  Ｅｎｅｒｇｙ  Ｍａｎａｇｅｍｅｎｔ  Ｓｙｓｔｅｍ）がある。
【０００３】
従来、この種の装置として、家電機器の運転可能な時間帯を示す運転許容時間帯、動作が完了するために必要な時間を示す必要運転時間、および運転時の消費電力を示す運転時消費電力を含むスケジュール条件が記憶されたスケジュール条件記憶部と、電力系統エネルギー管理システムから受信したＣＯ２排出原単位とスケジュール条件とから、家電機器が動作する時間を示す運転スケジュールを作成するスケジュール計算部と、運転スケジュールに基づいて家電機器を制御する制御部と、を備え、居住者に対する負担を小さくすると共に、ＣＯ２排出量を小さくするよう家電機器を動作させる技術が知られている（例えば、特許文献１参照。）。
【０００４】
また、スマートゲートウェイと、スマートゲートウェイにより指示される動作を実行するＨＰ（ヒートポンプ）給湯器と、を有する機器制御システムにおいて、ＨＰ給湯器は、ＨＰ給湯器に係る複数の運転状態を管理しており、スマートゲートウェイは、ＨＰ給湯器に対して動作を指示した後、ＨＰ給湯器の運転状態をＨＰ給湯器に問い合わせ、ＨＰ給湯器は、スマートゲートウェイからの状態問い合わせに応じて、管理している全ての運転状態をスマートゲートウェイに通知し、スマートゲートウェイは、ＨＰ給湯器から全ての運転状態が通知されると、該通知された複数の運転状態の中から、指示した動作に関連する運転状態を取得することにより、多種多様な電気機器に対して運転状態確認を適切に行う技術も知られている（例えば、特許文献２参照。）。
【０００５】
これらの技術は、いずれも図１３に示すように構成され、制御の中核を担う１台のＨＥＭＳコントローラ（上記特許文献の「ＨＥＭＳ」、「スマートゲートウェイ」、「ホームゲートウェイ」に相当）が種々の宅内機器と接続し通信することにより各機器の動作状態に関する情報の収集や各機器の制御をする。また、ＨＥＭＳコントローラはタッチパネルディスプレイを備え、壁面等への埋め込みや据え置きとして設置される形態が一般であり、ユーザはＨＥＭＳコントローラの同画面を覗くことにより、各機器の稼動状況の確認や、電力使用に関するアドバイスや電気料金などの各種通知の確認をしていた。
【先行技術文献】
【特許文献】
【０００６】
【特許文献１】特開２０１２−９４０７７号公報
【特許文献２】特開２０１２−２２２６３１号公報
【発明の概要】
【発明が解決しようとする課題】
【０００７】
しかしながら、上記の従来技術においては、ユーザが宅内機器の電力消費量の監視や操作をする場合には、タッチパネルディスプレイなどの入出力インタフェースを備えたＨＥＭＳコントローラの設置場所まで移動する必要があった。このため、ユーザへの省エネ行動を喚起、誘導する機会が限られてしまうという課題があった。また、上記文献の構成では、設置されるＨＥＭＳコントローラの台数は１台としているが、この場合、故障時など同装置が機能しない期間は、宅内エネルギーの管理、制御が不可能になるという問題があった。
【０００８】
そこで、本発明は、上述の課題に鑑みてなされたものであり、ＨＥＭＳコントローラ操作機会の制約とＨＥＭＳコントローラ機能の途絶を軽減し、どこからでもＨＥＭＳコントローラ機能を提供し、ユーザの省エネ行動を喚起・誘導の機会を向上させる監視制御システム、監視制御装置、監視制御方法およびプログラムを目的とする。
【課題を解決するための手段】
【０００９】
本発明は、上記の課題を解決するために、以下の事項を提案している。なお、理解を容易にするために、本発明の実施形態に対応する符号を付して説明するが、これに限定されるものではない。
【００１０】
（１）本発明は、複数の装置からなり、各装置が互いに、自装置が備えるＨＥＭＳコントローラ要素機能、および装置の属性に関する情報を他の装置に報知する報知手段（例えば、図１の報知部１２０に相当）と、前記各装置が、前記他の装置が報知した、ＨＥＭＳコントローラ要素機能、および装置の属性に関する情報を受信する受信手段（例えば、図１の通信部１３０に相当）と、前記受信した情報を一時記憶する受信情報記憶手段と、該一時記憶した情報に基づいて、前記複数の装置間で、ＨＥＭＳコントローラ要素機能、および装置の属性に関する情報を共有するグループを構成するグループ構成手段（例えば、図１のグループ構成部１５０に相当）と、該構成したグループ情報を記憶するグループ情報記憶手段（例えば、図１のデータベース１６０に相当）と、該記憶するグループ情報からＨＥＭＳコントローラの要素機能ごとに該機能を提供する装置を選択する選択手段（例えば、図１の選択部１７０に相当）と、ユーザから要素機能の実行要求があった場合に、該実行要求があった前記要素機能が自装置にあるときには、該要素機能を実行し、該実行要求があった前記要素機能が自装置にないときには、前記選択した装置の前記要素機能を実行させる制御手段（例えば、図１の制御部１８０に相当）と、前記実行結果を表示する表示手段（例えば、図１の表示部１９０に相当）と、を備えたことを特徴とする監視制御システムを提案している。
【００１１】
この発明によれば、報知手段は、自装置が備えるＨＥＭＳコントローラ要素機能、および装置の属性に関する情報を他の装置に報知する。受信手段は、他の装置が報知した、ＨＥＭＳコントローラ要素機能、および装置の属性に関する情報を受信する。受信情報記憶手段は、受信した情報を一時記憶する。グループ構成手段は、一時記憶した情報に基づいて、複数の装置間で、ＨＥＭＳコントローラ要素機能、および装置の属性に関する情報を共有するグループを構成する。グループ情報記憶手段は、構成したグループ情報を記憶する。選択手段は、記憶するグループ情報からＨＥＭＳコントローラの要素機能ごとに機能を提供する装置を選択する。制御手段は、ユーザから要素機能の実行要求があった場合に、実行要求があった要素機能が自装置にあるときには、要素機能を実行し、実行要求があった要素機能が自装置にないときには、選択した装置の要素機能を実行させる。表示手段は、実行結果を表示する。つまり、複数の監視制御装置について、それぞれが備えるＨＥＭＳコントローラ要素機能、および装置の属性に関する情報をキーにグループ化を行い、グループ情報からＨＥＭＳコントローラの要素機能ごとに機能を提供する装置を選択することにより、ユーザからの実行要求があった要素機能が自装置にないときには、選択した装置の要素機能を実行させる。したがって、ＨＥＭＳコントローラ操作機会の制約とＨＥＭＳコントローラ機能の途絶を軽減し、どこからでもＨＥＭＳコントローラ機能を提供することができる。
【００１２】
（２）本発明は、（１）の監視制御システムについて、前記報知手段が、ある装置が備えるＨＥＭＳコントローラ要素機能、および装置の属性に関する情報の変更があった場合に、その旨を、前記各装置に報知し、前記受信手段が、前記報知した、ＨＥＭＳコントローラ要素機能、および装置の属性に関する情報を受信して、前記グループ構成手段が、前記受信した情報に基づいて、前記グループを再構成することを特徴とする監視制御システムを提案している。
【００１３】
この発明によれば、報知手段が、ある装置が備えるＨＥＭＳコントローラ要素機能、および装置の属性に関する情報の変更があった場合に、その旨を、各装置に報知し、受信手段が、報知した、ＨＥＭＳコントローラ要素機能、および装置の属性に関する情報を受信して、グループ構成手段が、受信した情報に基づいて、グループを再構成する。つまり、リアルタイムに各装置のＨＥＭＳコントローラ要素機能、および装置の属性に関する情報の変更に基づいて、グループの構成を再構築するため、ＨＥＭＳコントローラ操作機会の制約とＨＥＭＳコントローラ機能の途絶を軽減し、いつでも円滑にＨＥＭＳコントローラ機能を提供することができる。
【００１４】
（３）本発明は、（２）の監視制御システムについて、前記ある装置が備えるＨＥＭＳコントローラ要素機能、および装置の属性に関する情報の変更に前記グループから離脱情報を含むことを特徴とする監視制御システムを提案している。
【００１５】
この発明によれば、ある装置が備えるＨＥＭＳコントローラ要素機能、および装置の属性に関する情報の変更にグループから離脱情報を含む。つまり、ある装置がグループから離脱した場合でも、リアルタイムに各装置のＨＥＭＳコントローラ要素機能、および装置の属性に関する情報の変更に基づいて、グループの構成を再構築するため、ＨＥＭＳコントローラ操作機会の制約とＨＥＭＳコントローラ機能の途絶を軽減し、いつでも円滑にＨＥＭＳコントローラ機能を提供することができる。
【００１６】
（４）本発明は、（２）の監視制御システムについて、前記ある装置が備えるＨＥＭＳコントローラ要素機能、および装置の属性に関する情報の変更に前記ＨＥＭＳコントローラ要素機能の一部喪失情報を含むことを特徴とする監視制御システムを提案している。
【００１７】
この発明によれば、ある装置が備えるＨＥＭＳコントローラ要素機能、および装置の属性に関する情報の変更にＨＥＭＳコントローラ要素機能の一部喪失情報を含む。つまり、ある装置のＨＥＭＳコントローラ要素機能が一部喪失した場合でも、リアルタイムに各装置のＨＥＭＳコントローラ要素機能、および装置の属性に関する情報の変更に基づいて、グループの構成を再構築するため、ＨＥＭＳコントローラ操作機会の制約とＨＥＭＳコントローラ機能の途絶を軽減し、いつでも円滑にＨＥＭＳコントローラ機能を提供することができる。
【００１８】
（５）本発明は、（２）の監視制御システムについて、前記ある装置が備えるＨＥＭＳコントローラ要素機能、および装置の属性に関する情報の変更に前記ＨＥＭＳコントローラ要素機能の一部追加情報を含むことを特徴とする監視制御システムを提案している。
【００１９】
この発明によれば、ある装置が備えるＨＥＭＳコントローラ要素機能、および装置の属性に関する情報の変更にＨＥＭＳコントローラ要素機能の一部追加情報を含む。つまり、ある装置のＨＥＭＳコントローラ要素機能が一部追加した場合でも、リアルタイムに各装置のＨＥＭＳコントローラ要素機能、および装置の属性に関する情報の変更に基づいて、グループの構成を再構築するため、ＨＥＭＳコントローラ操作機会の制約とＨＥＭＳコントローラ機能の途絶を軽減し、いつでも円滑にＨＥＭＳコントローラ機能を提供することができる。
【００２０】
（６）本発明は、他の装置に、自装置が備えるＨＥＭＳコントローラ要素機能、および装置の属性に関する情報を報知する報知手段と、該他の装置が報知した、ＨＥＭＳコントローラ要素機能、および装置の属性に関する情報を受信する受信手段と、該受信した情報を一時記憶する受信情報記憶手段と、該一時記憶した情報に基づいて、装置間で、ＨＥＭＳコントローラ要素機能、および装置の属性に関する情報を共有するグループを構成するグループ構成手段と、該構成したグループ情報を記憶するグループ情報記憶手段と、該記憶するグループ情報からＨＥＭＳコントローラの要素機能ごとに該機能を提供する装置を選択する選択手段と、ユーザから要素機能の実行要求があった場合に、該実行要求があった前記要素機能が自装置にあるときには、該要素機能を実行し、該実行要求があった前記要素機能が自装置にないときには、前記選択した装置の前記要素機能を実行させる制御手段と、前記実行結果を表示する表示手段と、を備えたことを特徴とする監視制御装置を提案している。
【００２１】
この発明によれば、報知手段は、自装置が備えるＨＥＭＳコントローラ要素機能、および装置の属性に関する情報を他の装置に報知する。受信手段は、他の装置が報知した、ＨＥＭＳコントローラ要素機能、および装置の属性に関する情報を受信する。受信情報記憶手段は、受信した情報を一時記憶する。グループ構成手段は、一時記憶した情報に基づいて、複数の装置間で、ＨＥＭＳコントローラ要素機能、および装置の属性に関する情報を共有するグループを構成する。グループ情報記憶手段は、構成したグループ情報を記憶する。選択手段は、記憶するグループ情報からＨＥＭＳコントローラの要素機能ごとに機能を提供する装置を選択する。制御手段は、ユーザから要素機能の実行要求があった場合に、実行要求があった要素機能が自装置にあるときには、要素機能を実行し、実行要求があった要素機能が自装置にないときには、選択した装置の要素機能を実行させる。表示手段は、実行結果を表示する。つまり、監視制御装置が、複数の装置について、それぞれが備えるＨＥＭＳコントローラ要素機能、および装置の属性に関する情報をキーにグループ化を行い、グループ情報からＨＥＭＳコントローラの要素機能ごとに機能を提供する装置を選択することにより、ユーザからの実行要求があった要素機能が自装置にないときには、選択した装置の要素機能を実行させる。したがって、ＨＥＭＳコントローラ操作機会の制約とＨＥＭＳコントローラ機能の途絶を軽減し、どこからでもＨＥＭＳコントローラ機能を提供することができる。
【００２２】
（７）本発明は、（６）の監視制御装置について、ＨＥＭＳコントローラ要素機能、および装置の属性に関する情報の変更があった場合に、その旨を、報知し、前記報知した、ＨＥＭＳコントローラ要素機能、および装置の属性に関する情報を受信して、前記受信した情報に基づいて、前記グループを再構成することを特徴とする監視制御装置を提案している。
【００２３】
この発明によれば、報知手段が、ある装置が備えるＨＥＭＳコントローラ要素機能、および装置の属性に関する情報の変更があった場合に、その旨を、各装置に報知し、受信手段が、報知した、ＨＥＭＳコントローラ要素機能、および装置の属性に関する情報を受信して、グループ構成手段が、受信した情報に基づいて、グループを再構成する。つまり、リアルタイムに各装置のＨＥＭＳコントローラ要素機能、および装置の属性に関する情報の変更に基づいて、グループの構成を再構築するため、ＨＥＭＳコントローラ操作機会の制約とＨＥＭＳコントローラ機能の途絶を軽減し、いつでも円滑にＨＥＭＳコントローラ機能を提供することができる。
【００２４】
（８）本発明は、（７）の監視制御装置について、ＨＥＭＳコントローラ要素機能、および装置の属性に関する情報の変更に前記グループから離脱情報あるいは、前記ＨＥＭＳコントローラ要素機能の一部喪失情報または、前記ＨＥＭＳコントローラ要素機能の一部追加情報を含むことを特徴とする監視制御装置を提案している。
【００２５】
この発明によれば、ある装置が備えるＨＥＭＳコントローラ要素機能、および装置の属性に関する情報の変更にグループから離脱情報あるいは、ＨＥＭＳコントローラ要素機能の一部喪失情報または、ＨＥＭＳコントローラ要素機能の一部追加情報を含む。つまり、ある装置がグループから離脱あるいは、ＨＥＭＳコントローラ要素機能の一部喪失または、一部追加した場合でも、リアルタイムに各装置のＨＥＭＳコントローラ要素機能、および装置の属性に関する情報の変更に基づいて、グループの構成を再構築するため、ＨＥＭＳコントローラ操作機会の制約とＨＥＭＳコントローラ機能の途絶を軽減し、いつでも円滑にＨＥＭＳコントローラ機能を提供することができる。
【００２６】
（９）本発明は、複数の装置からなる制御システムにおける監視制御方法であって、各装置が互いに、自装置が備えるＨＥＭＳコントローラ要素機能、および装置の属性に関する情報を他の装置に報知する第１のステップ（例えば、図６のステップＳ１１０に相当）と、前記各装置が、前記他の装置が報知した、ＨＥＭＳコントローラ要素機能、および装置の属性に関する情報を受信する第２のステップ（例えば、図６のステップＳ１２０に相当）と、前記各装置が、一時記憶した受信情報に基づいて、前記複数の装置間で、ＨＥＭＳコントローラ要素機能、および装置の属性に関する情報を共有するグループを構成する第３のステップ（例えば、図６のステップＳ１３０に相当）と、前記各装置が、記憶したグループ情報からＨＥＭＳコントローラの要素機能ごとに該機能を提供する装置を選択する第４のステップ（例えば、図６のステップＳ１４０に相当）と、前記各装置が、ユーザから要素機能の実行要求があった場合に、該実行要求があった前記要素機能が自装置にあるときには、該要素機能を実行し、該実行要求があった前記要素機能が自装置にないときには、前記選択した装置の前記要素機能を実行させる第５のステップ（例えば、図６のステップＳ１５０に相当）と、前記各装置が、前記実行結果を表示する第６のステップ（例えば、図６のステップＳ１６０に相当）と、を備えたことを特徴とする監視制御方法を提案している。
【００２７】
この発明によれば、各装置が互いに、自装置が備えるＨＥＭＳコントローラ要素機能、および装置の属性に関する情報を他の装置に報知し、各装置が、他の装置が報知した、ＨＥＭＳコントローラ要素機能、および装置の属性に関する情報を受信し、一時記憶した受信情報に基づいて、複数の装置間で、ＨＥＭＳコントローラ要素機能、および装置の属性に関する情報を共有するグループを構成する。そして、記憶したグループ情報からＨＥＭＳコントローラの要素機能ごとに機能を提供する装置を選択し、ユーザから要素機能の実行要求があった場合に、実行要求があった要素機能が自装置にあるときには、要素機能を実行し、実行要求があった要素機能が自装置にないときには、選択した装置の要素機能を実行させ、実行結果を表示する。つまり、複数の監視制御装置について、それぞれが備えるＨＥＭＳコントローラ要素機能、および装置の属性に関する情報をキーにグループ化を行い、グループ情報からＨＥＭＳコントローラの要素機能ごとに機能を提供する装置を選択することにより、ユーザからの実行要求があった要素機能が自装置にないときには、選択した装置の要素機能を実行させる。したがって、ＨＥＭＳコントローラ操作機会の制約とＨＥＭＳコントローラ機能の途絶を軽減し、どこからでもＨＥＭＳコントローラ機能を提供することができる。
【００２８】
（１０）本発明は、（９）の監視制御方法であって、ある装置が備えるＨＥＭＳコントローラ要素機能、および装置の属性に関する情報の変更があった場合に、その旨を、前記各装置に報知し、前記報知した、ＨＥＭＳコントローラ要素機能、および装置の属性に関する情報を受信して、前記受信した情報に基づいて、前記グループを再構成することを特徴とする監視制御方法を提案している。
【００２９】
この発明によれば、ある装置が備えるＨＥＭＳコントローラ要素機能、および装置の属性に関する情報の変更があった場合に、その旨を、各装置に報知し、報知した、ＨＥＭＳコントローラ要素機能、および装置の属性に関する情報を受信して、受信した情報に基づいて、グループを再構成する。つまり、リアルタイムに各装置のＨＥＭＳコントローラ要素機能、および装置の属性に関する情報の変更に基づいて、グループの構成を再構築するため、ＨＥＭＳコントローラ操作機会の制約とＨＥＭＳコントローラ機能の途絶を軽減し、いつでも円滑にＨＥＭＳコントローラ機能を提供することができる。
【００３０】
（１１）本発明は、（１０）の監視制御方法であって、前記ある装置が備えるＨＥＭＳコントローラ要素機能、および装置の属性に関する情報の変更に前記グループから離脱情報あるいは、前記ＨＥＭＳコントローラ要素機能の一部喪失情報または、前記ＨＥＭＳコントローラ要素機能の一部追加情報を含むことを特徴とする監視制御方法を提案している。
【００３１】
この発明によれば、ある装置が備えるＨＥＭＳコントローラ要素機能、および装置の属性に関する情報の変更にグループから離脱情報あるいは、ＨＥＭＳコントローラ要素機能の一部喪失情報または、ＨＥＭＳコントローラ要素機能の一部追加情報を含む。つまり、ある装置がグループから離脱あるいは、ＨＥＭＳコントローラ要素機能の一部喪失または、一部追加した場合でも、リアルタイムに各装置のＨＥＭＳコントローラ要素機能、および装置の属性に関する情報の変更に基づいて、グループの構成を再構築するため、ＨＥＭＳコントローラ操作機会の制約とＨＥＭＳコントローラ機能の途絶を軽減し、いつでも円滑にＨＥＭＳコントローラ機能を提供することができる。
【００３２】
（１２）本発明は、複数の装置からなる制御システムにおける監視制御方法をコンピュータに実行させるためのプログラムであって、各装置が互いに、自装置が備えるＨＥＭＳコントローラ要素機能、および装置の属性に関する情報を他の装置に報知する第１のステップ（例えば、図６のステップＳ１１０に相当）と、前記各装置が、前記他の装置が報知した、ＨＥＭＳコントローラ要素機能、および装置の属性に関する情報を受信する第２のステップ（例えば、図６のステップＳ１２０に相当）と、前記各装置が、一時記憶した受信情報に基づいて、前記複数の装置間で、ＨＥＭＳコントローラ要素機能、および装置の属性に関する情報を共有するグループを構成する第３のステップ（例えば、図６のステップＳ１３０に相当）と、前記各装置が、記憶したグループ情報からＨＥＭＳコントローラの要素機能ごとに該機能を提供する装置を選択する第４のステップ（例えば、図６のステップＳ１４０に相当）と、前記各装置が、ユーザから要素機能の実行要求があった場合に、該実行要求があった前記要素機能が自装置にあるときには、該要素機能を実行し、該実行要求があった前記要素機能が自装置にないときには、前記選択した装置の前記要素機能を実行させる第５のステップ（例えば、図６のステップＳ１５０に相当）と、前記各装置が、前記実行結果を表示する第６のステップ（例えば、図６のステップＳ１６０に相当）と、をコンピュータに実行させるためのプログラムを提案している。
【００３３】
この発明によれば、各装置が互いに、自装置が備えるＨＥＭＳコントローラ要素機能、および装置の属性に関する情報を他の装置に報知し、各装置が、他の装置が報知した、ＨＥＭＳコントローラ要素機能、および装置の属性に関する情報を受信し、一時記憶した受信情報に基づいて、複数の装置間で、ＨＥＭＳコントローラ要素機能、および装置の属性に関する情報を共有するグループを構成する。そして、記憶したグループ情報からＨＥＭＳコントローラの要素機能ごとに機能を提供する装置を選択し、ユーザから要素機能の実行要求があった場合に、実行要求があった要素機能が自装置にあるときには、要素機能を実行し、実行要求があった要素機能が自装置にないときには、選択した装置の要素機能を実行させ、実行結果を表示する。つまり、複数の監視制御装置について、それぞれが備えるＨＥＭＳコントローラ要素機能、および装置の属性に関する情報をキーにグループ化を行い、グループ情報からＨＥＭＳコントローラの要素機能ごとに機能を提供する装置を選択することにより、ユーザからの実行要求があった要素機能が自装置にないときには、選択した装置の要素機能を実行させる。したがって、ＨＥＭＳコントローラ操作機会の制約とＨＥＭＳコントローラ機能の途絶を軽減し、どこからでもＨＥＭＳコントローラ機能を提供することができる。
【００３４】
（１３）本発明は、（１２）のプログラムについて、ある装置が備えるＨＥＭＳコントローラ要素機能、および装置の属性に関する情報の変更があった場合に、その旨を、前記各装置に報知し、前記報知した、ＨＥＭＳコントローラ要素機能、および装置の属性に関する情報を受信して、前記受信した情報に基づいて、前記グループを再構成することを特徴とするプログラムを提案している。
【００３５】
この発明によれば、ある装置が備えるＨＥＭＳコントローラ要素機能、および装置の属性に関する情報の変更があった場合に、その旨を、各装置に報知し、報知した、ＨＥＭＳコントローラ要素機能、および装置の属性に関する情報を受信して、受信した情報に基づいて、グループを再構成する。つまり、リアルタイムに各装置のＨＥＭＳコントローラ要素機能、および装置の属性に関する情報の変更に基づいて、グループの構成を再構築するため、ＨＥＭＳコントローラ操作機会の制約とＨＥＭＳコントローラ機能の途絶を軽減し、いつでも円滑にＨＥＭＳコントローラ機能を提供することができる。
【００３６】
（１４）本発明は、（１３）のプログラムについて、前記ある装置が備えるＨＥＭＳコントローラ要素機能、および装置の属性に関する情報の変更に前記グループから離脱情報あるいは、前記ＨＥＭＳコントローラ要素機能の一部喪失情報または、前記ＨＥＭＳコントローラ要素機能の一部追加情報を含むことを特徴とするプログラムを提案している。
【００３７】
この発明によれば、ある装置が備えるＨＥＭＳコントローラ要素機能、および装置の属性に関する情報の変更にグループから離脱情報あるいは、ＨＥＭＳコントローラ要素機能の一部喪失情報または、ＨＥＭＳコントローラ要素機能の一部追加情報を含む。つまり、ある装置がグループから離脱あるいは、ＨＥＭＳコントローラ要素機能の一部喪失または、一部追加した場合でも、リアルタイムに各装置のＨＥＭＳコントローラ要素機能、および装置の属性に関する情報の変更に基づいて、グループの構成を再構築するため、ＨＥＭＳコントローラ操作機会の制約とＨＥＭＳコントローラ機能の途絶を軽減し、いつでも円滑にＨＥＭＳコントローラ機能を提供することができる。
【発明の効果】
【００３８】
本発明によれば、複数のＨＥＭＳコントローラが共存可能となるため、ユーザの使い慣れた装置をＨＥＭＳコントローラとして、宅内のどこからでも使用可能にできるという効果がある。また、ＨＥＭＳコントローラ機能を途絶することなく提供することや、互いに機能を補完することによりユーザが享受できるＨＥＭＳコントローラ機能を拡充させることが可能となるためＨＥＭＳの利便性が向上するという効果がある。
【図面の簡単な説明】
【００３９】
【図１】本発明の第１の実施形態に係る監視制御システムの構成を示す図である。
【図２】本発明の第１の実施形態に係る監視制御システムのＨＥＭＳコントローラグループの構成を示す図である。
【図３】本発明の第１の実施形態に係る監視制御システムを構成する監視制御装置が有する要素機能を示す図である。
【図４】本発明の第１の実施形態に係る監視制御システムを構成する監視制御装置が管理する装置情報を示す図である。
【図５】本発明の第１の実施形態に係る監視制御システムを構成する監視制御装置が選択する要素機能と実行装置の組み合わせを示す図である。
【図６】本発明の第１の実施形態に係る監視制御システムの処理を示す図である。
【図７】本発明の第２の実施形態に係る監視制御システムを構成する所定の監視制御装置がグループから離脱したときに、各監視制御装置が管理する装置情報を示す図である。
【図８】本発明の第２の実施形態に係る監視制御システムを構成する所定の監視制御装置がグループから離脱したときに、監視制御装置が選択する要素機能と実行装置の組み合わせを示す図である。
【図９】本発明の第２の実施形態に係る監視制御システムを構成する所定の監視制御装置が一部の要素機能を喪失したときに、各監視制御装置が管理する装置情報を示す図である。
【図１０】本発明の第２の実施形態に係る監視制御システムを構成する所定の監視制御装置が一部の要素機能を喪失したときに、監視制御装置が選択する要素機能と実行装置の組み合わせを示す図である。
【図１１】本発明の第２の実施形態に係る監視制御システムを構成する所定の監視制御装置が一部の要素機能を追加したときに、各監視制御装置が管理する装置情報を示す図である。
【図１２】本発明の第２の実施形態に係る監視制御システムを構成する所定の監視制御装置が一部の要素機能を追加したときに、監視制御装置が選択する要素機能と実行装置の組み合わせを示す図である。
【図１３】従来例に係る監視制御システムの構成を示す図である。
【発明を実施するための形態】
【００４０】
以下、本発明の実施形態について、図面を用いて、詳細に説明する。
なお、本実施形態における構成要素は適宜、既存の構成要素等との置き換えが可能であり、また、他の既存の構成要素との組合せを含む様々なバリエーションが可能である。したがって、本実施形態の記載をもって、特許請求の範囲に記載された発明の内容を限定するものではない。
【００４１】
＜第１の実施形態＞
図１から図６を用いて、本発明に係る第１の実施形態について説明する。
【００４２】
＜監視制御システムの構成＞
本実施形態に係る監視制御システムは、図１に示すように、複数のＨＥＭＳコントローラ装置（監視制御装置）１００から４００がネットワーク５００を介して、接続されており、図２に示すとうに、ＨＥＭＳコントローラ機能を搭載した複数の可搬型装置（専用機）および据付型装置（タブレット装置、ノートパソコン、スマートフォン）の監視制御装置（ＨＥＭＳコントローラ装置）において、これらが共存し機能分担する手段を設けたものである。なお、複数のＨＥＭＳコントローラ装置（監視制御装置）１００から４００の構成は、同一であるため、以下、ＨＥＭＳコントローラ装置（監視制御装置）１００を例に、その構成あるいは処理等について説明する。
【００４３】
＜監視制御装置（ＨＥＭＳコントローラ装置）の構成＞
図１に示すように、要素機能記憶部１１０と、報知部１２０と、通信部１３０と、装置情報管理部１４０と、グループ構成部１５０と、データベース１６０と、選択部１７０と、制御部１８０と、表示部１９０とから構成されている。
【００４４】
要素機能記憶部１１０は、自監視制御装置が備える要素機能（ａ）から（ｎ）を記憶する。具体的には、図３に示すように、自監視制御装置が据付型の専用機であれば、要素機能ａ、要素機能ｂ、要素機能ｃを、タブレット装置であれば、要素機能ａ、要素機能ｂ、要素機能ｅを、スマートフォンであれば、要素機能ａ、要素機能ｂを、ノートパソコンであれば、要素機能ａ、要素機能ｃ、要素機能を記憶する。報知部１２０は、各監視制御装置が互いに、自監視制御装置が備えるＨＥＭＳコントローラ要素機能、および装置の属性に関する情報を他の監視制御装置に報知する。
【００４５】
通信部１３０は、他の監視制御装置が報知した、ＨＥＭＳコントローラ要素機能、および装置の属性に関する情報の受信、後述する制御部１８０からの実行指示信号の送信、実行結果の受信等を行う。
【００４６】
装置情報管理部１４０は、要素機能記憶部１１０内の情報、通信部１３０より受信した他の監視制御装置のＨＥＭＳコントローラ要素機能、および装置の属性に関する情報、後述するデータベース１６０内の情報等から自監視制御装置の情報、他の監視制御装置の情報を取得し、管理する。ここで、装置情報管理部１４０が管理する装置の属性としては、図４に示すように、設置形態、給電状況、バッテリ容量／残量、連続起動時間、起動頻度（例えば、起動時間率の平均値）、グループ参加の経過時間等がある。
【００４７】
グループ構成部１５０は、後述するデータベース１６０内の情報に基づいて、複数の監視制御装置間で、ＨＥＭＳコントローラ要素機能、および装置の属性に関する情報を共有するグループを構成する。例えば、図３に示す各監視制御装置が有する要素機能から、要素機能ごとに、監視制御装置をグループ化する。
【００４８】
データベース１６０は、主に、装置情報データベースと、要素機能と実行装置との組み合わせを格納した部位からなる。具体的には、装置情報データベースは、図４に示すような各監視制御装置が有する要素機能情報、属性情報を格納し、これとは別に、図５に示すような要素機能と実行装置との組み合わせを格納する。
【００４９】
選択部１７０は、データベース１６０内の情報に基づいて、ＨＥＭＳコントローラの要素機能ごとに機能を提供する装置を選択する。制御部１８０は、ユーザから要素機能の実行要求があった場合に、実行要求があった要素機能が自監視制御装置にあるときには、要素機能を実行し、実行要求があった要素機能が自監視制御装置にないときには、選択した監視制御装置の要素機能を実行させる。表示部１９０は、実行結果を表示する。
【００５０】
＜監視制御システムの処理＞
図６を用いて、本実施形態に係る監視制御システムの処理について説明する。
【００５１】
まず、各監視制御装置１００〜４００が互いに、自監視制御装置が備えるＨＥＭＳコントローラ要素機能、および装置の属性に関する情報を他の装置に報知する。ここで、報知する情報としては、例えば、図３に示すような提供可能なＨＥＭＳコントローラ要素機能、設置種別（可搬型／据付型）、給電状況、バッテリ容量／残量等である。なお、ＨＥＭＳコントローラ要素機能は、例えば、個々の家電・電力機器に対する管理・制御機能や、ＥＣＨＯＮＥＴ  Ｌｉｔｅ規格で定義される個々の機器オブジェクト、機器から得られる情報を可視化して他の装置から参照可能とするための見える化サーバ機能、外部のエネルギー管理システムからのＤｅｍａｎｄ  ｒｅｓｐｏｎｓｅ信号を受信し解析する機能などであってもよい（ステップＳ１１０）。そして、各監視制御装置は、他の監視制御装置が報知した、ＨＥＭＳコントローラ要素機能、および装置の属性に関する情報を受信する（ステップＳ１２０）。
【００５２】
各監視制御装置は、一時記憶した受信情報に基づいて、複数の監視制御装置間で、ＨＥＭＳコントローラ要素機能、および装置の属性に関する情報を共有するグループを構成する。なお、グループに参加した装置は、参加継続を示す情報をグループに参加する他の装置群宛に定期的に報知することにより、グループ参加を継続する（ステップＳ１３０）。
【００５３】
各監視制御装置は、図５に示すように、上記情報を元に要素機能と提供装置の組み合わせを作成、更新し、データベースに保存し、複数の要素機能に関して、同じ要素機能を提供する監視制御装置が複数存在する場合、当該機能の実行を担当する監視制御装置を選択する（ステップＳ１４０）。なお、自監視制御装置が当該機能を備える場合には、自監視制御装置を優先するという判断方法であってもよいし、逆に他の監視制御装置を優先して使用するという判断方法であってもよい。また、自監視制御装置が当該機能を備えない場合、あるいは他の監視制御装置を優先して使用する場合、１）交換した情報および同じ選択アルゴリズムを用いて各監視制御装置が各々自律的に計算して選択する、または２）グループ内の代表的な監視制御装置が決定し各監視制御装置へ通知する、のいずれでもよく、また、これに限定するものではない。なお、代表的な監視制御装置の選択は、１）グループに最初に参加した監視制御装置、２）直近でグループに参加した監視制御装置、３）ユーザ固定割り当て、などでもよく、これに限定するものではない。さらに、当該要素機能を担う監視制御装置を選択するアルゴリズムが使用する指標として、前述した１）設置形態、２）給電状況（ＡＣアダプタ／バッテリ）、３）バッテリ容量およびバッテリ残量、４）連続起動時間、５）起動頻度、などの情報群から任意の１種、または複数種を重み付けしたものとして使用してもよいが、これに限定するものではない。
【００５４】
ユーザから要素機能の実行要求があった場合に、ユーザが携帯する、あるいはユーザの最寄りにある監視制御装置が当該要素機能を搭載し、かつユーザが同監視制御装置に搭載される当該機能を使用する場合には、同監視制御装置から直接、制御対象の宅内機器に対して当該要素機能の指示を発動する。一方、ユーザの使用する監視制御装置（装置Ａとする）が当該要素機能を搭載しない、あるいは搭載しつつも他の監視制御装置に当該要素機能の実行を委ねる場合で、かつユーザが当該機能を使用する場合、装置Ａは当該要素機能を提供するものとして選択された監視制御装置（装置Ｂとする）に対してユーザの当該機能の実行内容を送信する（ステップＳ１５０）。次に、装置Ｂは、同装置で得られる当該要素機能の実行結果を装置Ａへ送信する。装置Ａは、同結果をその表示部１９０に表示することでユーザへ通知する（ステップＳ１６０）。
【００５５】
以上、説明したように、本実施形態によれば、複数の監視制御装置について、それぞれが備えるＨＥＭＳコントローラ要素機能、および装置の属性に関する情報をキーにグループ化を行い、グループ情報からＨＥＭＳコントローラの要素機能ごとに機能を提供する装置を選択することにより、ユーザからの実行要求があった要素機能が自装置にないときには、選択した装置の要素機能を実行させる。したがって、ＨＥＭＳコントローラ操作機会の制約とＨＥＭＳコントローラ機能の途絶を軽減し、どこからでもＨＥＭＳコントローラ機能を提供することができる。
【００５６】
＜第２の実施形態＞
図７から図１２を用いて、本発明の第２の実施形態について、説明する。なお、本実施形態は、第１の実施形態により、グループ化がなされた後に、一部の監視制御装置のグループからの離脱、ある監視制御装置における要素機能の一部喪失、追加があった場合の処理について説明する。
【００５７】
＜監視制御装置のグループからの離脱があった場合＞
例えば、図７に示すように、監視制御装置Ｃ（スマートフォン）がグループから離脱する場合を例に説明する。
【００５８】
監視制御装置Ｃ（スマートフォン）がグループから離脱する旨の事前通知がある場合には、事前通知を受信した各監視制御装置は、図８に示すように、自監視制御装置内のデータベースにて、グループ離脱装置の情報、要素機能を無効にしたうえで、再度、要素機能と提供装置の対応付けを更新する。
【００５９】
一方で、監視制御装置Ｃ（スマートフォン）がグループから離脱する旨の事前通知がない場合、つまり、離脱した監視制御装置Ｃ（スマートフォン）からのグループ参加継続を示す定期的な情報を受信しなくなったことを各監視制御装置が検知すると、各監視制御装置は、自身の保有するデータベースから当該離脱監視制御装置を除き、ＨＥＭＳコントローラの個々の要素機能を担当する監視制御装置の情報を更新する。
【００６０】
また、離脱監視制御装置が提供するＨＥＭＳコントローラ要素機能を、自監視制御装置が使用していた場合には、当該機能が提供されないことを自監視制御装置が検知することを契機にＨＥＭＳコントローラの個々の要素機能を担当する監視制御装置の情報を更新する。
【００６１】
＜ある監視制御装置が要素機能の一部を喪失した場合＞
例えば、図９に示すように、監視制御装置Ｂ（タブレット端末）が要素機能のうち、ｂを喪失した場合を例に説明する。
【００６２】
監視制御装置Ｂ（タブレット端末）から要素機能ｂを喪失した旨の事前通知がある場合、当該監視制御装置Ｂ（タブレット端末）を除くグループ内監視制御装置は、当該機能を担う次候補を選択する。なお、先述した手順に従い各監視制御装置が再選択する。あるいは代表的な監視制御装置が再選択し、これをグループ内の他の監視制御装置へ報知する形態であってもよい。そして、次候補選択後、図１２に示すように、各監視制御装置にて要素機能と提供装置の対応付けを更新する。
【００６３】
一方、当該機能を担う監視制御装置Ｂ（タブレット端末）にて同機能が提供されないことを、他の任意の監視制御装置が検知すると、検知した監視制御装置は当該情報をグループ内に報知する。なお、先述した手順に従い各監視制御装置が再選択する。あるいは代表的な監視制御装置が再選択し、これをグループ内の他の監視制御装置へ報知する形態であってもよい。そして、次候補選択後、図１２に示すように、各監視制御装置にて要素機能と提供装置の対応付けを更新する。
【００６４】
＜ある監視制御装置が要素機能の一部を追加した場合＞
例えば、図１１に示すように、監視制御装置Ｃ（スマートフォン）が要素機能のうち、ｃを追加した場合を例に説明する。
【００６５】
監視制御装置Ｃ（スマートフォン）が新たな要素機能ｃを追加した場合、あるいは既存の要素機能を更新した場合には、当該監視制御装置Ｃ（スマートフォン）がグループに参加する監視制御装置群宛に、機能更新の情報を報知する。一方で、上記情報を受信した各監視制御装置は、図１２に示すように、自監視制御装置内のデータベースを更新し、当該機能を提供する監視制御装置を再計算する。
【００６６】
以上、説明したように、本実施形態によれば、ある装置がグループから離脱あるいは、ＨＥＭＳコントローラ要素機能の一部喪失または、一部追加した場合でも、リアルタイムに各装置のＨＥＭＳコントローラ要素機能、および装置の属性に関する情報の変更に基づいて、グループの構成を再構築するため、ＨＥＭＳコントローラ操作機会の制約とＨＥＭＳコントローラ機能の途絶を軽減し、いつでも円滑にＨＥＭＳコントローラ機能を提供することができる。
【００６７】
なお、監視制御装置あるいは監視制御システムの処理をコンピュータシステムが読み取り可能な記録媒体に記録し、この記録媒体に記録されたプログラムを監視制御装置あるいは監視制御システムに読み込ませ、実行することによって本発明の監視制御装置あるいは監視制御システムを実現することができる。ここでいうコンピュータシステムとは、ＯＳや周辺装置等のハードウェアを含む。
【００６８】
また、「コンピュータシステム」は、ＷＷＷ（Ｗｏｒｌｄ  Ｗｉｄｅ  Ｗｅｂ）システムを利用している場合であれば、ホームページ提供環境（あるいは表示環境）も含むものとする。また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。
【００６９】
また、上記プログラムは、前述した機能の一部を実現するためのものであってもよい。さらに、前述した機能をコンピュータシステムにすでに記録されているプログラムとの組合せで実現できるもの、いわゆる差分ファイル（差分プログラム）であってもよい。
【００７０】
以上、この発明の実施形態につき、図面を参照して詳述してきたが、具体的な構成はこの実施形態に限られるものではなく、この発明の要旨を逸脱しない範囲の設計等も含まれる。
【符号の説明】
【００７１】
１００；監視制御装置
１１０；要素機能記憶部
１２０；報知部
１３０；通信部
１４０；装置情報管理部
１５０；グループ構成部
１６０；データベース
１７０；選択部
１８０；制御部
１９０；表示部
２００；監視制御装置
３００；監視制御装置
４００；監視制御装置
５００；ネットワーク
【図１】
2014160314.tif 000003
【図２】
2014160314.tif 000004
【図３】
2014160314.tif 000005
【図４】
2014160314.tif 000006
【図５】
2014160314.tif 000007
【図６】
2014160314.tif 000008
【図７】
2014160314.tif 000009
【図８】
2014160314.tif 000010
【図９】
2014160314.tif 000011
【図１０】
2014160314.tif 000012
【図１１】
2014160314.tif 000013
【図１２】
2014160314.tif 000014
【図１３】
2014160314.tif 000015